(57)【特許請求の範囲】
【請求項１】
コンテンツ要求を受信する段階であって、前記コンテンツ要求は、コンテンツ識別子及びアプリケーション識別子を伝送し、前記コンテンツ識別子は、要求されたコンテンツを識別するために用いられ、前記アプリケーション識別子は、アプリケーションを識別し、かつ、前記コンテンツ要求が前記アプリケーションを用いることによって生成されたことを識別するために用いられる、段階と、
前記アプリケーションに対応するサービス品質を決定する段階と、
前記サービス品質に従って、前記コンテンツを返信する段階と、
を備え、
前記コンテンツによって生成されたトラフィックを決定する段階と、
前記トラフィック及び前記アプリケーションを示すサービス品質制御要求をサービス品質制御装置に送信する段階であって、これにより、前記サービス品質制御装置は、前記アプリケーションによって生成されたトラフィックとして前記トラフィックを用いることによって、前記アプリケーションの累積トラフィックを更新する、段階と、
前記サービス品質制御装置によって返信され、かつ、前記更新された累積トラフィックに従って決定されたサービス品質を受信する段階と、
をさらに備え、
前記サービス品質制御要求は、クレジット制御要求（ＣＣＲ）であり、前記アプリケーションは、前記クレジット制御要求において伝送されるサービス識別子によって示される、サービス品質制御方法。
【請求項２】
アプリケーションのサービス品質を決定するために用いられるサービス品質制御方法であって、コンテンツの要求は、前記アプリケーションを用いることによって生成され、前記方法は、
前記コンテンツ及び前記アプリケーションによって生成されたトラフィックを示し、かつ、アクセス装置によって送信されるサービス品質制御要求を受信する段階と、
前記アプリケーションによって生成されたトラフィックとして前記トラフィックを用いることによって、前記アプリケーションの累積トラフィックを更新する段階と、
前記更新された累積トラフィックに従って、前記アプリケーションの前記サービス品質を決定する段階と、
前記決定されたサービス品質を返信する段階と、
を備え、
前記サービス品質制御要求は、クレジット制御要求（ＣＣＲ）であり、前記アプリケーションは、前記クレジット制御要求において伝送されるサービス識別子によって示される、方法。
【請求項３】
コンテンツ要求を受信するコンテンツ要求受信モジュールであって、前記コンテンツ要求は、コンテンツ識別子及びアプリケーション識別子を伝送し、前記コンテンツ識別子は、要求されたコンテンツを識別するために用いられ、前記アプリケーション識別子は、アプリケーションを識別し、かつ、前記コンテンツ要求が前記アプリケーションを用いることによって生成されたことを識別するために用いられる、コンテンツ要求受信モジュールと、
前記アプリケーションに対応するサービス品質を決定するサービス品質決定モジュールと、
前記サービス品質に従って、前記コンテンツを返信する返信モジュールと、
を備え、
前記コンテンツによって生成されたトラフィックを決定するトラフィック決定モジュールと、
前記トラフィック及び前記アプリケーションを示すサービス品質制御要求をサービス品質制御装置に送信する送信モジュールであって、これにより、前記サービス品質制御装置は、前記アプリケーションによって生成されたトラフィックとして前記トラフィックを用いることによって、前記アプリケーションの累積トラフィックを更新する、送信モジュールと、
前記サービス品質制御装置によって返信され、かつ、前記更新された累積トラフィックに従って決定されたサービス品質を受信するサービス品質受信モジュールと、
をさらに備え、
前記サービス品質制御要求は、クレジット制御要求（ＣＣＲ）であり、前記アプリケーションは、前記クレジット制御要求において伝送されるサービス識別子によって示される、アクセス装置。
【請求項４】
アプリケーションのサービス品質を決定するサービス品質制御装置であって、コンテンツの要求は、前記アプリケーションを用いることによって生成され、前記装置は、
前記コンテンツ及び前記アプリケーションによって生成されたトラフィックを示し、かつ、アクセス装置によって送信されるサービス品質制御要求を受信する受信モジュールと、
前記アプリケーションによって生成されたトラフィックとして前記トラフィックを用いることによって、前記アプリケーションの累積トラフィックを更新する更新モジュールと、
前記更新された累積トラフィックに従って、前記アプリケーションの前記サービス品質を決定する決定モジュールと、
前記決定されたサービス品質を返信する返信モジュールと、
を備え、
前記サービス品質制御要求は、クレジット制御要求（ＣＣＲ）であり、前記アプリケーションは、前記クレジット制御要求において伝送されるサービス識別子によって示される、装置。
【発明の詳細な説明】
【技術分野】
【０００１】
本願は、２０１４年７月２３日に中国特許庁に出願された、発明の名称を「課金方法及び装置、アクセス装置、サービス品質制御方法及び装置」とする中国特許出願第２０１４１０３５２７４３．５号に対する優先権を主張し、その全体が、参照により本明細書に組み込まれる。
【０００２】
本発明は、課金及びサービス品質制御技術に関し、詳細には、課金方法及び装置、アクセス装置、サービス品質制御方法及び装置に関する。
【背景技術】
【０００３】
ネットワーク送信技術の急速な進歩により、インターネットを用いることによって提供可能なコンテンツがますます豊富になっている。例えば、ユーザは、インターネットを用いることによって、ニュースを読み、音楽を聴き、映画を視聴することができる。最新のネットワーク送信技術を用いることによって、コンテンツプロバイダのサイト（すなわち、コンテンツソース）によって提供されるコンテンツは、極めて短い遅延でユーザ端末に送信されることができる。
【０００４】
コンテンツプロバイダとの強力な協力体制により、通信事業者は、新たな課金モードを開発してきた。通信事業者は、協力関係にあるコンテンツプロバイダのために特別なトラフィックパッケージを開発することができる。このタイプのトラフィックパッケージに加入することによって、ユーザがコンテンツプロバイダのサイトからコンテンツを取得する場合に生成される全てのトラフィックは、前述のトラフィックパッケージに別個にカウントされる。具体的な実装処理において、通信事業者は、コンテンツプロバイダのサイトについての情報を取得すべく、ユーザによって送信されたコンテンツ要求を分析することがある。例えば、通信事業者は、コンテンツ要求が指定するサイト、すなわち、コンテンツプロバイダのサイトを決定すべく、コンテンツ要求が指定するＩＰ（インターネットプロトコル）アドレスを分析することがある。このように、コンテンツプロバイダは、コンテンツプロバイダのサイトに従って決定可能である。さらに、コンテンツ要求は、概して、要求されたコンテンツのＵＲＬ（ユニフォームリソースロケータ）を含むので、通信事業者は、コンテンツプロバイダのサイトに従ってコンテンツプロバイダを決定すべく、ＵＲＬを分析することによって、コンテンツプロバイダのサイトを決定することがある。このように、通信事業者は、要求されたコンテンツによって生成されたトラフィックを、ユーザがコンテンツプロバイダから加入するトラフィックパッケージにカウントすることができる。
【０００５】
モバイル端末の急速な普及により、モバイル端末にインストールされた専用ソフトウェアを用いることによって、ユーザにサービスを提供するサービスプロバイダの数が増加している。このタイプの専用ソフトウェアは、概して、アプリケーション（Ａｐｐ）と称され、サービスプロバイダによって開発される。このタイプのアプリケーションを用いることによって、ユーザは、サービスプロバイダによって提供されるサービスを便利に楽しむことができる。多数のアプリケーションの中で、ソーシャルアプリケーションが最も人気である。このタイプのアプリケーションは、ユーザと友人との間でインスタントメッセージングを実装するのみならず、友人によって共有された様々な情報を、ユーザがあらゆる時間に視聴することを支援することもできる。
【０００６】
コンテンツプロバイダのために特別に開発されたトラフィックパッケージに倣うことによって、通信事業者も、ソーシャルアプリケーションに対応するトラフィックパッケージを開発している。通信事業者の最初のアイデアによれば、このトラフィックパッケージを用いることによって、ユーザがソーシャルアプリケーションを用いることによって（インスタントメッセージングのような）サービスを楽しみ、（友人によって共有された情報のような）コンテンツにアクセスする場合に生成される全てのトラフィックは、ソーシャルアプリケーションのために設定され、ユーザが加入するトラフィックパッケージにカウントされる。しかしながら、利用の過程において、ユーザは、ソーシャルアプリケーションを用いることによって生成されたトラフィックが、対応するトラフィックパッケージに完全にはカウントされていないことを認識する。この問題の根本的な原因は、ソーシャルカテゴリのアプリケーションを用いることによってユーザによってアクセスされた全てのコンテンツが、ソーシャルカテゴリのアプリケーションを提供するサービスプロバイダのサイトによって提供されたものではない、すなわち、前述のコンテンツに対する全てのアクセス要求が、ソーシャルアプリケーションを提供するサービスプロバイダのサイトを指定したものではないという点にある。
【０００７】
以下、Ｔｅｎｃｅｎｔによって提供されるＷｅＣｈａｔアプリケーション（略してＷｅＣｈａｔ）を用いることによって、ユーザが友人によって共有されたコンテンツにアクセスする処理の例を用いることによって、前述の問題の原因を説明する。ＷｅＣｈａｔによって提供される友人サークル機能により、ユーザは、友人によって共有された商品、写真、歌、及び映画のようなコンテンツにアクセスすることができる。ビデオコンテンツのクリップを共有する場合、友人は、ビデオコンテンツのアクセスポータルを友人サークルに埋め込むことができ、アクセスポータルは、友人サークルウィンドウにおいてビデオ再生ウィンドウとして表示されることがある。ユーザがビデオ再生ウィンドウの再生ボタンをタップした場合、ＷｅＣｈａｔは、ビデオコンテンツを提供するコンテンツプロバイダのサイトからビデオコンテンツを要求し、前述のビデオ再生ウィンドウにおいて取得されたビデオコンテンツを再生する。しかしながら、前述のビデオコンテンツを提供するコンテンツプロバイダは、ＷｅＣｈａｔを開発するサービスプロバイダのＴｅｎｃｅｎｔではないことがある。従って、前述のビデオコンテンツに対するアクセス要求は、Ｔｅｎｃｅｎｔのサイトを指定していないことがある。例えば、友人がＹｏｕｋｕによって提供されたビデオコンテンツをＷｅＣｈａｔの友人サークルにおいて共有する場合、ユーザはＷｅＣｈａｔを用いることによってビデオコンテンツを要求しているものの、ビデオコンテンツは（Ｔｅｎｃｅｎｔのサイトではなく）なおもＹｏｕｋｕのサイトによって提供されている。このように、ユーザが再生ボタンをタップした場合、ＷｅＣｈａｔは、Ｔｅｎｃｅｎｔのサイトから前述のビデオコンテンツを要求する代わりに、Ｙｏｕｋｕのサイトから前述のビデオコンテンツを要求する。しかしながら、ユーザの観点からすれば、ユーザはＷｅＣｈａｔの友人サークルのウィンドウにおいて、ビデオウィンドウでビデオコンテンツを視聴する（すなわち、ユーザは、ビデオコンテンツを視聴する場合、ＷｅＣｈａｔアプリケーションから出ていない）ので、ビデオコンテンツによって生成されるトラフィックは、ＷｅＣｈａｔに対応するトラフィックパッケージにカウントされるべきである。
【０００８】
既存の課金技術によれば、ユーザがソーシャルアプリケーションを用いることによってコンテンツにアクセスする場合に生成されるトラフィックは、必ずしもソーシャルアプリケーションに対応するトラフィックパッケージにカウントされないことがあるということが理解されよう。
【発明の概要】
【０００９】
この観点から、課金方法を提供する必要があり、これにより、コンテンツがアプリケーションを用いることによってアクセスされた場合に生成されるトラフィックが、アプリケーションに対応するトラフィックパッケージにカウントされることが可能となる。
【００１０】
さらに、アクセス装置が提供され、これにより、コンテンツがアプリケーションを用いることによってアクセスされた場合に生成されるトラフィックが、アプリケーションに対応するトラフィックパッケージにカウントされることが可能となる。
【００１１】
さらに、課金装置が提供され、これにより、コンテンツがアプリケーションを用いることによってアクセスされた場合に生成されるトラフィックが、アプリケーションに対応するトラフィックパッケージにカウントされることが可能となる。
【００１２】
さらに、サービス品質制御方法が提供され、これにより、アプリケーションに適用されるサービス品質が、アプリケーションを用いることによってアクセスされるコンテンツに適用可能となる。
【００１３】
さらに、サービス品質制御方法が提供され、これにより、アプリケーションによって生成されたトラフィックとして、アプリケーションを用いることによってコンテンツがアクセスされた場合に生成されるトラフィックを用いることによって、アプリケーションの累積トラフィックが更新可能となり、アプリケーションのサービス品質が、更新された累積トラフィックに従って決定される。
【００１４】
さらに、アクセス装置が提供され、これにより、アプリケーションに適用されるサービス品質が、アプリケーションを用いることによってアクセスされるコンテンツに適用可能となる。
【００１５】
さらに、サービス品質制御装置が提供され、これにより、アプリケーションによって生成されたトラフィックとして、アプリケーションを用いることによってコンテンツがアクセスされた場合に生成されるトラフィックを用いることによって、アプリケーションの累積トラフィックが更新可能となり、アプリケーションのサービス品質が、更新された累積トラフィックに従って決定される。
【００１６】
第１の態様によれば、課金方法が提供される。この方法は、
コンテンツ要求を受信する段階であって、コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる、段階と、
コンテンツを返信し、コンテンツによって生成されたトラフィックを決定する段階と、
トラフィック及びアプリケーションを示す課金要求を課金装置に送信し、これにより、課金装置は、アプリケーションによって生成されたトラフィックとしてトラフィックに課金する段階と、
を含む。
【００１７】
第１の態様の第１の可能な態様を参照すると、課金要求は、クレジット制御要求ＣＣＲであり、アプリケーションは、クレジット制御要求において伝送されるサービス識別子によって示される。
【００１８】
第１の態様の第２の可能な態様を参照すると、課金要求は、クレジット制御要求ＣＣＲであり、アプリケーションは、クレジット制御要求において伝送されるアプリケーションパラメータによって示される。
【００１９】
第２の可能な態様の第３の可能な態様を参照すると、トラフィックは、クレジット制御要求において伝送される利用サービスユニットＵＳＵによって示され、クレジット制御要求は、コンテンツを示すために用いられるサービス識別子をさらに伝送され、これにより、課金装置は、アプリケーション、コンテンツ、及びトラフィックに従って消費記録を生成し、消費記録は、トラフィックがコンテンツによって生成されること、コンテンツがアプリケーションを用いることによって要求されること、及び、トラフィックがアプリケーションによって生成されたトラフィックとして課金されることを示すために用いられる。
【００２０】
第２の可能な態様の第４の可能な態様を参照すると、方法は、コンテンツのコンテンツソースを決定する段階をさらに含み、トラフィックは、クレジット制御要求において伝送される利用サービスユニットＵＳＵによって示され、クレジット制御要求は、コンテンツソースを示すために用いられるサービス識別子をさらに伝送し、これにより、課金装置は、アプリケーション、コンテンツソース、及びトラフィックに従って消費記録を生成し、消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。
【００２１】
第２の態様によれば、課金方法が提供される。この方法は、アプリケーションを用いることによって要求されたコンテンツによって生成されたトラフィックに課金するために用いられ、
アプリケーション及びトラフィックを示し、かつ、アクセス装置によって送信される課金要求を受信する段階と、
アプリケーションによって生成されたトラフィックとしてトラフィックに課金する段階と、
を含む。
【００２２】
第２の態様の第１の可能な態様を参照すると、課金要求は、クレジット制御要求ＣＣＲであり、アプリケーションは、クレジット制御要求において伝送されるアプリケーションパラメータによって示される。
【００２３】
第１の可能な態様の第２の可能な態様を参照すると、トラフィックは、クレジット制御要求において伝送される利用サービスユニットＵＳＵによって示され、クレジット制御要求は、コンテンツを示すために用いられるサービス識別子をさらに伝送し、方法は、アプリケーション、コンテンツ、及びトラフィックに従って消費記録を生成する段階をさらに含み、消費記録は、トラフィックがコンテンツによって生成されること、コンテンツがアプリケーションを用いることによって要求されること、及び、トラフィックがアプリケーションによって生成されたトラフィックとして課金されることを示すために用いられる。
【００２４】
第１の可能な態様の第３の可能な態様を参照すると、トラフィックは、クレジット制御要求において伝送される利用サービスユニットＵＳＵによって示され、クレジット制御要求は、コンテンツのコンテンツソースを示すために用いられるサービス識別子をさらに伝送し、方法は、アプリケーション、コンテンツソース、及びトラフィックに従って消費記録を生成する段階をさらに含み、消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。
【００２５】
第３の態様によれば、アクセス装置が提供される。この装置は、
コンテンツ要求を受信するように構成される受信モジュールであって、コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる、受信モジュールと、
コンテンツを返信し、コンテンツによって生成されたトラフィックを決定するように構成される返信モジュールと、
トラフィック及びアプリケーションを示す課金要求を課金装置に送信するように構成される課金モジュールであって、これにより、課金装置は、アプリケーションによって生成されたトラフィックとしてトラフィックに課金する、課金モジュールと、
を含む。
【００２６】
第３の態様の第１の可能な態様を参照すると、課金要求は、クレジット制御要求ＣＣＲであり、アプリケーションは、クレジット制御要求において伝送されるサービス識別子によって示される。
【００２７】
第３の態様の第２の可能な態様を参照すると、課金要求は、クレジット制御要求ＣＣＲであり、アプリケーションは、クレジット制御要求において伝送されるアプリケーションパラメータによって示される。
【００２８】
第２の可能な態様の第３の可能な態様を参照すると、トラフィックは、クレジット制御要求において伝送される利用サービスユニットＵＳＵによって示され、クレジット制御要求は、コンテンツを示すために用いられるサービス識別子をさらに伝送し、これにより、課金装置は、アプリケーション、コンテンツ、及びトラフィックに従って消費記録を生成し、消費記録は、トラフィックがコンテンツによって生成されること、コンテンツがアプリケーションを用いることによって要求されること、及び、トラフィックがアプリケーションによって生成されたトラフィックとして課金されることを示すために用いられる。
【００２９】
第２の可能な態様の第４の可能な態様を参照すると、装置は、コンテンツのコンテンツソースを決定するように構成される決定モジュールをさらに含み、トラフィックは、クレジット制御要求において伝送される利用サービスユニットＵＳＵによって示され、クレジット制御要求は、コンテンツソースを示すために用いられるサービス識別子をさらに伝送し、これにより、課金装置は、アプリケーション、コンテンツソース、及びトラフィックに従って消費記録を生成し、消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。
【００３０】
第４の態様によれば、課金装置が提供される。この装置は、アプリケーションを用いることによって要求されたコンテンツによって生成されたトラフィックに課金するように構成され、
アプリケーション及びトラフィックを示し、かつ、アクセス装置によって送信される課金要求を受信するように構成される受信モジュールと、
アプリケーションによって生成されたトラフィックとしてトラフィックに課金するように構成される課金モジュールと、
を含む。
【００３１】
第４の態様の第１の可能な態様を参照すると、課金要求は、クレジット制御要求ＣＣＲであり、アプリケーションは、クレジット制御要求において伝送されるアプリケーションパラメータによって示される。
【００３２】
第１の可能な態様の第２の可能な態様を参照すると、トラフィックは、クレジット制御要求において伝送される利用サービスユニットＵＳＵによって示され、クレジット制御要求は、コンテンツを示すために用いられるサービス識別子をさらに伝送し、装置は、アプリケーション、コンテンツ、及びトラフィックに従って消費記録を生成するように構成される生成モジュールをさらに含み、消費記録は、トラフィックがコンテンツによって生成されること、コンテンツがアプリケーションを用いることによって要求されること、及び、トラフィックがアプリケーションによって生成されたトラフィックとして課金されることを示すために用いられる。
【００３３】
第１の可能な態様の第３の可能な態様を参照すると、トラフィックは、クレジット制御要求において伝送される利用サービスユニットＵＳＵによって示され、クレジット制御要求は、コンテンツのコンテンツソースを示すために用いられるサービス識別子をさらに伝送し、装置は、アプリケーション、コンテンツソース、及びトラフィックに従って消費記録を生成するように構成される生成モジュールをさらに含み、消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。
【００３４】
第５の態様によれば、サービス品質制御方法が提供される。この方法は、
コンテンツ要求を受信する段階であって、コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる、段階と、
アプリケーションに対応するサービス品質を決定する段階と、
サービス品質に従って、コンテンツを返信する段階と、
を含む。
【００３５】
第５の態様の第１の可能な態様を参照すると、方法は、
コンテンツによって生成されたトラフィックを決定する段階と、
トラフィック及びアプリケーションを示すサービス品質制御要求をサービス品質制御装置に送信する段階であって、これにより、サービス品質制御装置は、アプリケーションによって生成されたトラフィックとしてトラフィックを用いることによって、アプリケーションの累積トラフィックを更新する、段階と、
サービス品質制御装置によって返信され、かつ、更新された累積トラフィックに従って決定されたサービス品質を受信する段階と、
をさらに含む。
【００３６】
第１の可能な態様の第２の可能な態様を参照すると、サービス品質制御要求は、クレジット制御要求ＣＣＲであり、アプリケーションは、クレジット制御要求において伝送されるサービス識別子によって示される。
【００３７】
第１の可能な態様の第３の可能な態様を参照すると、サービス品質制御要求は、クレジット制御要求ＣＣＲであり、アプリケーションは、クレジット制御要求において伝送されるアプリケーションパラメータによって示される。
【００３８】
第６の態様によれば、サービス品質制御方法が提供される。この方法は、アプリケーションのサービス品質を決定するために用いられ、コンテンツ要求は、アプリケーションを用いることによって生成され、方法は、
コンテンツ及びアプリケーションによって生成されたトラフィックを示し、かつ、アクセス装置によって送信されるサービス品質制御要求を受信する段階と、
アプリケーションによって生成されたトラフィックとしてトラフィックを用いることによって、アプリケーションの累積トラフィックを更新する段階と、
更新された累積トラフィックに従って、アプリケーションのサービス品質を決定する段階と、
決定されたサービス品質を返信する段階と、
を含む。
【００３９】
第６の態様の第１の可能な態様を参照すると、サービス品質制御要求は、クレジット制御要求ＣＣＲであり、アプリケーションは、クレジット制御要求において伝送されるアプリケーションパラメータによって示される。
【００４０】
第７の態様によれば、アクセス装置が提供される。この装置は、
コンテンツ要求を受信するように構成されるコンテンツ要求受信モジュールであって、コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる、コンテンツ要求受信モジュールと、
アプリケーションに対応するサービス品質を決定するように構成されるサービス品質決定モジュールと、サービス品質に従って、コンテンツを返信するように構成される返信モジュールと、
を含む。
【００４１】
第７の態様の第１の可能な態様を参照すると、装置は、
コンテンツによって生成されたトラフィックを決定するように構成されるトラフィック決定モジュールと、
トラフィック及びアプリケーションを示すサービス品質制御要求をサービス品質制御装置に送信するように構成される送信モジュールであって、これにより、サービス品質制御装置は、アプリケーションによって生成されたトラフィックとしてトラフィックを用いることによって、アプリケーションの累積トラフィックを更新する、送信モジュールと、
サービス品質制御装置によって返信され、かつ、更新された累積トラフィックに従って決定されたサービス品質を受信するように構成されるサービス品質受信モジュールと、
をさらに含む。
【００４２】
第１の可能な態様の第２の可能な態様を参照すると、サービス品質制御要求は、クレジット制御要求ＣＣＲであり、アプリケーションは、クレジット制御要求において伝送されるサービス識別子によって示される。
【００４３】
第１の可能な態様の第３の可能な態様を参照すると、サービス品質制御要求は、クレジット制御要求ＣＣＲであり、アプリケーションは、クレジット制御要求において伝送されるアプリケーションパラメータによって示される。
【００４４】
第８の態様によれば、サービス品質制御装置が提供され、装置は、アプリケーションのサービス品質を決定するように構成され、コンテンツ要求は、アプリケーションを用いることによって生成され、装置は、
コンテンツ及びアプリケーションによって生成されたトラフィックを示し、かつ、アクセス装置によって送信されるサービス品質制御要求を受信するように構成される受信モジュールと、
アプリケーションによって生成されたトラフィックとしてトラフィックを用いることによって、アプリケーションの累積トラフィックを更新するように構成される更新モジュールと、
更新された累積トラフィックに従って、アプリケーションのサービス品質を決定するように構成される決定モジュールと、
決定されたサービス品質を返信するように構成される返信モジュールと、
を含む。
【００４５】
第８の態様の第１の可能な態様を参照すると、サービス品質制御要求は、クレジット制御要求ＣＣＲであり、アプリケーションは、クレジット制御要求において伝送されるアプリケーションパラメータによって示される。
【００４６】
本発明の複数の実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の複数の実施形態によれば、要求されたコンテンツ及び前述のアプリケーションによって生成されたトラフィックを示す課金要求が課金装置に送信されてよく、これにより、課金装置によって、前述のアプリケーションによって生成されたトラフィックとして前述のトラフィックに課金する目的を実現する。
【図面の簡単な説明】
【００４７】
【図１】本発明の実施形態に係る課金方法の例示的なフローチャートである。
【００４８】
【図２】本発明の実施形態に係る課金方法の例示的なフローチャートである。
【００４９】
【図３】本発明の実施形態に係る課金方法の例示的なシグナリング図である。
【００５０】
【図４】本発明の実施形態に係るアクセス装置の論理構造の例示的な模式図である。
【００５１】
【図５】本発明の実施形態に係る課金装置の論理構造の例示的な模式図である。
【００５２】
【図６】本発明の実施形態に係る課金システムの論理構造の例示的な模式図である。
【００５３】
【図７】本発明の実施形態に係るサービス品質制御方法の例示的なフローチャートである。
【００５４】
【図８】本発明の実施形態に係るサービス品質制御方法の例示的なフローチャートである。
【００５５】
【図９】本発明の実施形態に係るサービス品質制御方法の例示的なシグナリング図である。
【００５６】
【図１０】本発明の実施形態に係るアクセス装置の論理構造の例示的な模式図である。
【００５７】
【図１１】本発明の実施形態に係るサービス品質制御装置の論理構造の例示的な模式図である。
【００５８】
【図１２】本発明の実施形態に係るサービス品質制御システムの論理構造の例示的な模式図である。
【００５９】
【図１３】本発明の実施形態に係るアクセス装置のハードウェア構造の模式図である。
【発明を実施するための形態】
【００６０】
図１は、本発明の実施形態に係る課金方法１００の例示的なフローチャートである。具体的な実装処理において、課金方法１００は、例えば、限定されるものではないが、アクセス装置によって実行されてよい。前述のアクセス装置は、例えば、限定されるものではないが、ＧＧＳＮ（ゲートウェイＧＰＲＳ（汎用パケット無線サービス）サポートノード）であってよい。
【００６１】
段階１０２において、コンテンツ要求を受信する。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。
【００６２】
具体的には、前述のコンテンツ要求は、例えば、限定されるものではないが、様々なモバイル端末のようなユーザ端末からのものである。より具体的には、前述のコンテンツ要求は、ユーザ端末上で動作するアプリケーションを用いることによって生成される。前述のコンテンツ識別子は、例えば、限定されるものではないが、コンテンツのＵＲＬであって、かつ、コンテンツ要求において伝送されるＵＲＬ、又は、ＵＲＬから取得され、かつ、前述のコンテンツを識別するために利用可能な情報であってよい。
【００６３】
段階１０４において、コンテンツを返信し、コンテンツによって生成されたトラフィックを決定する。
【００６４】
段階１０６において、トラフィック及びアプリケーションを示す課金要求を課金装置に送信し、これにより、課金装置は、アプリケーションによって生成されたトラフィックとしてトラフィックに課金する。
【００６５】
具体的には、課金要求は、クレジット制御要求（ＣＣＲ）であってよく、アプリケーションは、クレジット制御要求において伝送されるサービス識別子によって示される。この場合、サービス識別子は、前述のコンテンツ識別子のような、コンテンツを示すために用いられる情報を伝送する代わりに、前述のアプリケーション識別子のような、アプリケーションを示すために用いられる情報を伝送する。
【００６６】
他の実装解決手段において、課金要求はまた、クレジット制御要求である。しかしながら、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。
【００６７】
課金要求がクレジット制御要求である場合、前述のアプリケーションは、クレジット制御要求において、２つの態様で示されてよいことが理解されよう。第１の態様は、前述のアプリケーションが、クレジット制御要求において伝送されるサービス識別子によって示され、第２の態様は、前述のアプリケーションが、クレジット制御要求において伝送されるアプリケーションパラメータによって示される。サービス識別子は既存のクレジット制御要求に存在するので、第１の態様においては、既存のクレジット制御要求は変更される必要がないことが容易に理解される。しかしながら、第２の態様においては、アプリケーションパラメータは新たに追加されたパラメータなので、既存のクレジット制御要求は変更される必要がある。
【００６８】
課金要求がクレジット制御要求であり、かつ、アプリケーションがクレジット制御要求において伝送されるアプリケーションパラメータによって示される場合、トラフィックは、クレジット制御要求において伝送される利用サービスユニット（ＵＳＵ）によって示される。この場合、クレジット制御要求は、コンテンツを示すために用いられるサービス識別子をさらに伝送し、これにより、課金装置は、アプリケーション、コンテンツ、及びトラフィックに従って消費記録を生成する。消費記録は、トラフィックがコンテンツによって生成されること、コンテンツがアプリケーションを用いることによって要求されること、及び、トラフィックがアプリケーションによって生成されたトラフィックとして課金されることを示すために用いられる。この場合、サービス識別子は、前述のアプリケーション識別子のような、アプリケーションを示すために用いられる情報を伝送する代わりに、前述のコンテンツ識別子のような、コンテンツを示すために用いられる情報を伝送することに留意されたい。
【００６９】
クレジット制御要求において伝送されるサービス識別子は、コンテンツの代わりに、コンテンツのコンテンツソースを示すためにさらに用いられてよい。この場合、課金装置は、他の消費記録を生成してよい。具体的には、課金要求がクレジット制御要求であり、かつ、アプリケーションがクレジット制御要求において伝送されるアプリケーションパラメータによって示される場合、方法１００は、コンテンツのコンテンツソースを決定する段階をさらに含んでよい。この場合、トラフィックは、クレジット制御要求において伝送される利用サービスユニットＵＳＵによって示され、クレジット制御要求は、コンテンツソースを示すために用いられるサービス識別子をさらに伝送し、これにより、課金装置は、アプリケーション、コンテンツソース、及びトラフィックに従って消費記録を生成する。消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。この場合、サービス識別子は、前述のアプリケーション識別子のような、アプリケーションを示すために用いられる情報を伝送する代わりに、又は、前述のコンテンツ識別子のような、コンテンツを示すために用いられる情報を伝送する代わりに、コンテンツソースの名称及びドメインネームのような、コンテンツのコンテンツソースを示すために用いられる情報を伝送することに留意されたい。具体的な実装処理において、コンテンツのコンテンツソースは、コンテンツ要求が指定するＩＰアドレスに従って決定されてよい。さらに、コンテンツ要求は、概して、要求されたコンテンツのＵＲＬを含むので、コンテンツソースは、ＵＲＬを分析することによって決定されてもよい。
【００７０】
具体的な実装処理において、段階１０６において、課金装置がアプリケーションによって生成されたトラフィックとしてトラフィックに課金することは、課金装置が、アプリケーションに対応するトラフィックパッケージにトラフィックをカウントすることを示す。トラフィックは、コンテンツに対応するコンテンツプロバイダに対応するトラフィックパッケージにカウントされる代わりに、アプリケーションに対応するトラフィックパッケージにカウントされるので、前述のアプリケーションによって生成されたトラフィックとして前述のトラフィックに課金するという目的が、本発明において実現可能であることが理解されよう。
【００７１】
課金装置、装置の具体的な動作、ならびに課金装置及びその動作に関連する具体的な詳細については、詳細な説明が、図２から図６を参照して後述される。
【００７２】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、要求されたコンテンツ及び前述のアプリケーションによって生成されたトラフィックを示す課金要求が課金装置に送信されてよく、これにより、課金装置によって、前述のアプリケーションによって生成されたトラフィックとして前述のトラフィックに課金する目的を実現する。
【００７３】
図２は、本発明の実施形態に係る課金方法２００の例示的なフローチャートである。図２に示される課金方法２００は、アプリケーションを用いることによって要求されたコンテンツによって生成されたトラフィックに課金するために用いられる。具体的な実装処理において、課金方法２００は、例えば、限定されるものではないが、課金装置によって実行されてよい。前述の課金装置は、例えば、限定されるものではないが、ＯＣＳ（オンライン課金システム）であってよい。
【００７４】
段階２０１において、アプリケーション及びトラフィックを示し、かつ、アクセス装置によって送信される課金要求を受信する。
【００７５】
具体的には、課金要求は、クレジット制御要求ＣＣＲであり、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。アプリケーションパラメータは新たに追加されたパラメータなので、既存のクレジット制御要求は、変更される必要があることが容易に理解される。
【００７６】
アクセス装置、装置の具体的な動作、ならびにアクセス装置及びその動作に関連する具体的な詳細については、図１を参照して、詳細な説明が上述されている。さらに、さらなる説明も、図３から図６を参照して後述される。
【００７７】
段階２０４において、アプリケーションによって生成されたトラフィックとしてトラフィックに課金する。
【００７８】
具体的な実装処理において、段階２０４において、アプリケーションによって生成されたトラフィックとしてトラフィックに課金することは、トラフィックが、アプリケーションに対応するトラフィックパッケージにカウントされることを示す。トラフィックは、コンテンツに対応するコンテンツプロバイダに対応するトラフィックパッケージにカウントされる代わりに、アプリケーションに対応するトラフィックパッケージにカウントされるので、前述のアプリケーションによって生成されたトラフィックとして前述のトラフィックに課金するという目的が、本発明において実現可能であることが理解されよう。
【００７９】
課金要求がクレジット制御要求ＣＣＲであり、かつ、アプリケーションがクレジット制御要求において伝送されるアプリケーションパラメータによって示される場合、トラフィックは、クレジット制御要求において伝送される利用サービスユニットＵＳＵによって示され、クレジット制御要求は、コンテンツを示すために用いられるサービス識別子をさらに伝送する。この場合、方法２００は、アプリケーション、コンテンツ、及びトラフィックに従って消費記録を生成する段階をさらに含み、消費記録は、トラフィックがコンテンツによって生成されること、コンテンツがアプリケーションを用いることによって要求されること、及び、トラフィックがアプリケーションによって生成されたトラフィックとして課金されることを示すために用いられる。
【００８０】
クレジット制御要求において伝送されるサービス識別子は、コンテンツの代わりに、コンテンツのコンテンツソースを示すためにさらに用いられてよい。この場合、課金装置は、他の消費記録を生成してよい。具体的には、課金要求がクレジット制御要求ＣＣＲであり、かつ、アプリケーションがクレジット制御要求において伝送されるアプリケーションパラメータによって示される場合、トラフィックは、クレジット制御要求において伝送される利用サービスユニットＵＳＵによって示され、クレジット制御要求は、コンテンツのコンテンツソースを示すために用いられるサービス識別子をさらに伝送する。この場合、方法２００は、アプリケーション、コンテンツソース、及びトラフィックに従って消費記録を生成する段階をさらに含んでよい。消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。
【００８１】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、要求されたコンテンツ及び前述のアプリケーションによって生成されたトラフィックを示す課金要求が課金装置に送信されてよく、これにより、課金装置によって、前述のアプリケーションによって生成されたトラフィックとして前述のトラフィックに課金する目的を実現する。
【００８２】
図３は、本発明の実施形態に係る課金方法３００の例示的なシグナリング図である。図３に示されるモバイル端末は、例えば、限定されるものではないが、パーソナルデジタルアシスタント、スマートフォン、タブレットコンピュータ等のような、インターネットアクセス機能を有するコンピューティングデバイスであってよい。アプリケーションは、モバイル端末上で動作し、ユーザは、コンテンツにアクセスすべく、アプリケーションを用いることによってコンテンツ要求を生成してよい。ＧＧＳＮは、方法１００及び方法２００におけるアクセス装置に対応する。ＯＣＳは、方法１００及び方法２００における課金装置に対応する。
【００８３】
段階３０２において、ユーザは、モバイル端末上で動作するアプリケーションを用いることによって、コンテンツ要求を生成する。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。コンテンツ要求、コンテンツ識別子、アプリケーション識別子等の技術的特徴の詳細については、方法１００及び方法２００を参照して、詳細な説明が上述されている。従って、詳細は、本明細書において再度説明されない。
【００８４】
段階３０４において、ＧＧＳＮは、コンテンツ識別子に従って、要求されたコンテンツを取得し、コンテンツによって生成されたトラフィックを決定する。
【００８５】
段階３０６において、ＧＧＳＮは、モバイル端末に要求されたコンテンツを返信する。
【００８６】
段階３０８において、ＧＧＳＮは、前述のトラフィック及び前述のアプリケーションを示す課金要求を、課金装置に送信する。
【００８７】
課金要求等の技術的特徴の詳細については、方法１００及び方法２００を参照して、詳細な説明が上述されている。従って、詳細は、本明細書において再度説明されない。
【００８８】
段階３１０において、課金装置は、課金要求において示されたアプリケーション及びトラフィックに従って、アプリケーションによって生成されたトラフィックとしてトラフィックに課金する。すなわち、課金装置は、アプリケーションに対応するトラフィックパッケージに、トラフィックをカウントする。
【００８９】
課金処理についての詳細は、方法１００及び方法２００を参照して、詳細な説明が上述されている。従って、詳細は、本明細書において再度説明されない。
【００９０】
具体的な実装処理において、方法３００におけるいくつかの段階の順序は、具体的な要件に従って設定されてよい。例えば、段階３０４においてコンテンツによって生成されたトラフィックを決定する動作は、段階３０６の後であって段階３０８の前に実行されてよい。
【００９１】
さらに、方法３００は、消費記録を生成する段階をさらに含んでよい。消費記録の生成に関連するコンテンツについては、方法１００及び方法２００を参照して、詳細な説明が上述されている。従って、詳細は、本明細書において再度説明されない。
【００９２】
上述されたように、図３を参照して説明された方法３００におけるＧＧＳＮは、方法１００及び方法２００におけるアクセス装置に対応する。ＯＣＳは、方法１００及び方法２００における課金装置に対応する。各タイプの装置、各タイプの装置の具体的な動作、ならびに各タイプの装置及びその動作に関連する具体的な詳細については、図１及び図２を参照して、詳細な説明が上述されている。さらに、さらなる説明も、図４から図６を参照して後述される。
【００９３】
図４は、本発明の実施形態に係るアクセス装置４００の論理構造の例示的な模式図である。図４に示されるように、アクセス装置４００は、受信モジュール４０２と、返信モジュール４０４と、課金モジュール４０６とを含む。
【００９４】
受信モジュール４０２は、コンテンツ要求を受信するように構成される。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。
【００９５】
返信モジュール４０４は、コンテンツを返信し、コンテンツによって生成されたトラフィックを決定するように構成される。
【００９６】
課金モジュール４０６は、トラフィック及びアプリケーションを示す課金要求を課金装置に送信するように構成され、これにより、課金装置は、アプリケーションによって生成されたトラフィックとしてトラフィックに課金する。
【００９７】
具体的には、前述のコンテンツ要求は、例えば、限定されるものではないが、様々なモバイル端末のようなユーザ端末からのものである。より具体的には、前述のコンテンツ要求は、ユーザ端末上で動作するアプリケーションを用いることによって生成される。前述のコンテンツ識別子は、例えば、限定されるものではないが、コンテンツのＵＲＬであって、かつ、コンテンツ要求において伝送されるＵＲＬ、又は、受信モジュール４０２によってＵＲＬから取得され、かつ、前述のコンテンツを識別するために利用可能な情報であってよい。
【００９８】
さらに、課金要求は、クレジット制御要求（ＣＣＲ）であってよく、アプリケーションは、クレジット制御要求において伝送されるサービス識別子によって示される。この場合、サービス識別子は、前述のコンテンツ識別子のような、コンテンツを示すために用いられる情報を伝送する代わりにに、前述のアプリケーション識別子のような、アプリケーションを示すために用いられる情報を伝送する。
【００９９】
他の実装解決手段において、課金要求はまた、クレジット制御要求ＣＣＲである。しかしながら、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。
【０１００】
課金要求がクレジット制御要求ＣＣＲである場合、前述のアプリケーションは、クレジット制御要求において、２つの態様で示されてよいことが理解されよう。第１の態様は、前述のアプリケーションが、クレジット制御要求において伝送されるサービス識別子によって示され、第２の態様は、前述のアプリケーションが、クレジット制御要求において伝送されるアプリケーションパラメータによって示される。サービス識別子は既存のクレジット制御要求に存在するので、第１の態様においては、既存のクレジット制御要求は変更される必要がないことが容易に理解される。しかしながら、第２の態様においては、アプリケーションパラメータは新たに追加されたパラメータなので、既存のクレジット制御要求は変更される必要がある。
【０１０１】
課金要求がクレジット制御要求ＣＣＲであり、かつ、アプリケーションがクレジット制御要求において伝送されるアプリケーションパラメータによって示される場合、トラフィックは、クレジット制御要求において伝送される利用サービスユニットＵＳＵによって示される。この場合、クレジット制御要求は、コンテンツを示すために用いられるサービス識別子をさらに伝送し、これにより、課金装置は、アプリケーション、コンテンツ、及びトラフィックに従って消費記録を生成する。消費記録は、トラフィックがコンテンツによって生成されること、コンテンツがアプリケーションを用いることによって要求されること、及び、トラフィックがアプリケーションによって生成されたトラフィックとして課金されることを示すために用いられる。この場合、サービス識別子は、前述のアプリケーション識別子のような、アプリケーションを示すために用いられる情報を伝送する代わりに、前述のコンテンツ識別子のような、コンテンツを示すために用いられる情報を伝送することに留意されたい。
【０１０２】
クレジット制御要求において伝送されるサービス識別子は、コンテンツの代わりに、コンテンツのコンテンツソースを示すためにさらに用いられてよい。この場合、課金装置は、他の消費記録を生成してよい。具体的には、課金要求がクレジット制御要求ＣＣＲであり、かつ、アプリケーションがクレジット制御要求において伝送されるアプリケーションパラメータによって示される場合、アクセス装置４００は、コンテンツのコンテンツソースを決定するように構成される決定モジュール（図４において不図示）をさらに含んでよい。この場合、トラフィックは、クレジット制御要求において伝送される利用サービスユニットＵＳＵによって示され、クレジット制御要求は、コンテンツソースを示すために用いられるサービス識別子をさらに伝送し、これにより、課金装置は、アプリケーション、コンテンツソース、及びトラフィックに従って消費記録を生成する。消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。この場合、サービス識別子は、前述のアプリケーション識別子のような、アプリケーションを示すために用いられる情報を伝送する代わりに、又は、前述のコンテンツ識別子のような、コンテンツを示すために用いられる情報を伝送する代わりに、コンテンツソースの名称及びドメインネームのような、コンテンツのコンテンツソースを示すために用いられる情報を伝送することに留意されたい。具体的な実装処理において、決定モジュールは、コンテンツ要求が指定するＩＰアドレスに従って、コンテンツのコンテンツソースを決定してよい。さらに、コンテンツ要求は、概して、要求されたコンテンツのＵＲＬを含むので、決定モジュールは、ＵＲＬを分析することによって、コンテンツソースを決定してもよい。
【０１０３】
具体的な実装処理において、前述の課金装置がアプリケーションによって生成されたトラフィックとしてトラフィックに課金することは、課金装置が、アプリケーションに対応するトラフィックパッケージにトラフィックをカウントすることを示す。トラフィックは、コンテンツに対応するコンテンツプロバイダに対応するトラフィックパッケージにカウントされる代わりに、アプリケーションに対応するトラフィックパッケージにカウントされるので、前述のアプリケーションによって生成されたトラフィックとして前述のトラフィックに課金するという目的が、本発明において実現可能であることが理解されよう。
【０１０４】
図４に示されるアクセス装置４００は、図１に示される方法１００を実行するように構成される。アクセス装置及びその動作、ならびにアクセス装置及びその動作に関連する技術的詳細については、図２に示される方法２００及び図３に示される方法３００において、説明が示される。さらに、さらなる説明も、図５及び図６を参照して後述される。
【０１０５】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、要求されたコンテンツ及び前述のアプリケーションによって生成されたトラフィックを示す課金要求が課金装置に送信されてよく、これにより、課金装置によって、前述のアプリケーションによって生成されたトラフィックとして前述のトラフィックに課金する目的を実現する。
【０１０６】
図５は、本発明の実施形態に係る課金装置５００の論理構造の例示的な模式図である。図５に示される課金装置５００は、アプリケーションを用いることによって要求されたコンテンツによって生成されたトラフィックに課金するように構成される。図５に示されるように、課金装置５００は、受信モジュール５０２と、課金モジュール５０４とを含む。
【０１０７】
受信モジュール５０２は、アプリケーション及びトラフィックを示し、かつ、アクセス装置によって送信される課金要求を受信するように構成される。
【０１０８】
具体的には、課金要求は、クレジット制御要求ＣＣＲであり、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。アプリケーションパラメータは新たに追加されたパラメータなので、既存のクレジット制御要求は、変更される必要があることが容易に理解される。
【０１０９】
課金モジュール５０４は、アプリケーションによって生成されたトラフィックとしてトラフィックに課金するように構成される。
【０１１０】
具体的な実装処理において、トラフィックがアプリケーションによって生成されたトラフィックとして課金される場合、課金モジュール５０４は、具体的には、アプリケーションに対応するトラフィックパッケージにトラフィックをカウントするように構成される。トラフィックは、コンテンツに対応するコンテンツプロバイダに対応するトラフィックパッケージにカウントされる代わりに、アプリケーションに対応するトラフィックパッケージにカウントされるので、前述のアプリケーションによって生成されたトラフィックとして前述のトラフィックに課金するという目的が、本発明において実現可能であることが理解されよう。
【０１１１】
課金要求がクレジット制御要求ＣＣＲであり、かつ、アプリケーションがクレジット制御要求において伝送されるアプリケーションパラメータによって示される場合、トラフィックは、クレジット制御要求において伝送される利用サービスユニットＵＳＵによって示され、クレジット制御要求は、コンテンツを示すために用いられるサービス識別子をさらに伝送する。この場合、課金装置５００は、アプリケーション、コンテンツ、及びトラフィックに従って消費記録を生成するように構成される生成モジュール（図５において不図示）をさらに含んでよい。消費記録は、トラフィックがコンテンツによって生成されること、コンテンツがアプリケーションを用いることによって要求されること、及び、トラフィックがアプリケーションによって生成されたトラフィックとして課金されることを示すために用いられる。
【０１１２】
クレジット制御要求において伝送されるサービス識別子は、コンテンツの代わりに、コンテンツのコンテンツソースを示すためにさらに用いられてよい。従って、他の消費記録が生成されてよい。具体的には、課金要求がクレジット制御要求ＣＣＲであり、かつ、アプリケーションがクレジット制御要求において伝送されるアプリケーションパラメータによって示される場合、トラフィックは、クレジット制御要求において伝送される利用サービスユニットＵＳＵによって示され、クレジット制御要求は、コンテンツのコンテンツソースを示すために用いられるサービス識別子をさらに伝送する。この場合、課金装置５００は、アプリケーション、コンテンツソース、及びトラフィックに従って消費記録を生成するように構成される生成モジュール（図５において不図示）をさらに含んでよい。消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。
【０１１３】
図５に示される課金装置５００は、図２に示される方法２００を実行するように構成される。課金装置及びその動作、課金装置及びその動作に関連する技術的詳細は、図１に示される方法１００、図３に示される方法３００、及び図４に示される装置４００において、説明が示される。さらに、さらなる説明も、図６を参照して後述される。
【０１１４】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、要求されたコンテンツ及び前述のアプリケーションによって生成されたトラフィックを示す課金要求が課金装置に送信されてよく、これにより、課金装置によって、前述のアプリケーションによって生成されたトラフィックとして前述のトラフィックに課金する目的を実現する。
【０１１５】
図６は、本発明の実施形態に係る課金システム６００の論理構造の例示的な模式図である。図６に示されるように、課金システム６００は、アクセス装置６０２と、課金装置６０４とを含む。
【０１１６】
アクセス装置６０２は、コンテンツ要求を受信することと、コンテンツを返信し、コンテンツによって生成されたトラフィックを決定することと、トラフィック及びアプリケーションを示す課金要求を課金装置６０４に送信することとを実行するように構成される。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。
【０１１７】
課金装置６０４は、アプリケーション及びトラフィックを示し、かつ、アクセス装置６０２によって送信される課金要求を受信し、アプリケーションによって生成されたトラフィックとしてトラフィックに課金するように構成される。
【０１１８】
具体的には、課金要求は、クレジット制御要求であってよく、アプリケーションは、クレジット制御要求において伝送されるサービス識別子によって示される。この場合、サービス識別子は、前述のコンテンツ識別子のような、コンテンツを示すために用いられる情報を伝送する代わりにに、前述のアプリケーション識別子のような、アプリケーションを示すために用いられる情報を伝送する。
【０１１９】
他の実装解決手段において、課金要求はまた、クレジット制御要求ＣＣＲである。しかしながら、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。
【０１２０】
課金要求がクレジット制御要求ＣＣＲである場合、前述のアプリケーションは、クレジット制御要求において、２つの態様で示されてよいことが理解されよう。第１の態様は、前述のアプリケーションが、クレジット制御要求において伝送されるサービス識別子によって示され、第２の態様は、前述のアプリケーションが、クレジット制御要求において伝送されるアプリケーションパラメータによって示される。サービス識別子は既存のクレジット制御要求に存在するので、第１の態様においては、既存のクレジット制御要求は変更される必要がないことが容易に理解される。しかしながら、第２の態様においては、アプリケーションパラメータは新たに追加されたパラメータなので、既存のクレジット制御要求は変更される必要がある。
【０１２１】
課金要求がクレジット制御要求ＣＣＲであり、かつ、アプリケーションがクレジット制御要求において伝送されるアプリケーションパラメータによって示される場合、トラフィックは、クレジット制御要求において伝送される利用サービスユニット（ＵＳＵ）によって示される。この場合、クレジット制御要求は、コンテンツを示すために用いられるサービス識別子をさらに伝送し、これにより、課金装置６０４は、アプリケーション、コンテンツ、及びトラフィックに従って消費記録を生成してよい。消費記録は、トラフィックがコンテンツによって生成されること、コンテンツがアプリケーションを用いることによって要求されること、及び、トラフィックがアプリケーションによって生成されたトラフィックとして課金されることを示すために用いられる。この場合、サービス識別子は、前述のアプリケーション識別子のような、アプリケーションを示すために用いられる情報を伝送する代わりに、前述のコンテンツ識別子のような、コンテンツを示すために用いられる情報を伝送することに留意されたい。
【０１２２】
クレジット制御要求において伝送されるサービス識別子は、コンテンツの代わりに、コンテンツのコンテンツソースを示すためにさらに用いられてよい。この場合、課金装置６０４は、他の消費記録を生成してよい。具体的には、課金要求がクレジット制御要求ＣＣＲであり、かつ、アプリケーションがクレジット制御要求において伝送されるアプリケーションパラメータによって示される場合、アクセス装置６０２は、コンテンツのコンテンツソースを決定するようにさらに構成される。この場合、トラフィックは、クレジット制御要求において伝送される利用サービスユニットＵＳＵによって示され、クレジット制御要求は、コンテンツソースを示すために用いられるサービス識別子をさらに伝送し、これにより、課金装置６０４は、アプリケーション、コンテンツソース、及びトラフィックに従って消費記録を生成する。消費記録は、コンテンツソースがアクセスされた場合にトラフィックが生成されること、コンテンツソースへのアクセスがアプリケーションを用いることによって生成されること、及び、トラフィックがアプリケーションによって生成されたトラフィックとして課金されることを示すために用いられる。この場合、サービス識別子は、前述のアプリケーション識別子のような、アプリケーションを示すために用いられる情報を伝送する代わりに、又は、前述のコンテンツ識別子のような、コンテンツを示すために用いられる情報を伝送する代わりに、コンテンツソースの名称及びドメインネームのような、コンテンツのコンテンツソースを示すために用いられる情報を伝送することに留意されたい。具体的な実装処理において、アクセス装置６０２は、コンテンツ要求が指定するＩＰアドレスに従って、コンテンツのコンテンツソースを決定してよい。さらに、コンテンツ要求は、概して、要求されたコンテンツのＵＲＬを含むので、アクセス装置６０２は、ＵＲＬを分析することによって、コンテンツソースを決定してもよい。
【０１２３】
具体的な実装処理において、課金装置６０４がアプリケーションによって生成されたトラフィックとしてトラフィックに課金することは、課金装置６０４が、アプリケーションに対応するトラフィックパッケージにトラフィックをカウントすることを示す。トラフィックは、コンテンツに対応するコンテンツプロバイダに対応するトラフィックパッケージにカウントされる代わりに、アプリケーションに対応するトラフィックパッケージにカウントされるので、前述のアプリケーションによって生成されたトラフィックとして前述のトラフィックに課金するという目的が、本発明において実現可能であることが理解されよう。
【０１２４】
アクセス装置６０２は、図１に示される方法１００を実行するように構成される。装置及びその動作、ならびに装置及びその動作に関連する具体的な詳細については、図２から図５においても、説明が示される。従って、詳細は、本明細書において再度説明されない。
【０１２５】
課金装置６０４は、図２に示される方法２００を実行するように構成される。装置及びその動作、ならびに装置及びその動作に関連する具体的な詳細については、説明が、図１及び図３から図５にも示される。従って、詳細は、本明細書において再度説明されない。
【０１２６】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、要求されたコンテンツ及び前述のアプリケーションによって生成されたトラフィックを示す課金要求が課金装置に送信されてよく、これにより、課金装置によって、前述のアプリケーションによって生成されたトラフィックとして前述のトラフィックに課金する目的を実現する。
【０１２７】
図７は、本発明の実施形態に係るサービス品質制御方法７００の例示的なフローチャートである。具体的な実装処理において、サービス品質制御方法７００は、例えば、限定されるものではないが、アクセス装置によって実行されてよい。アクセス装置は、例えば、限定されるものではないが、ＧＧＳＮであってよい。
【０１２８】
段階７０２において、コンテンツ要求を受信する。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。
【０１２９】
具体的には、前述のコンテンツ識別子は、例えば、限定されるものではないが、コンテンツのＵＲＬであって、かつ、コンテンツ要求において伝送されるＵＲＬ、又はＵＲＬから取得され、かつ、前述のコンテンツを識別するために利用可能な情報であってよい。さらに、本実施形態において説明されるコンテンツ要求、コンテンツ識別子、及びアプリケーション識別子は、図１から図６において説明されるコンテンツ要求、コンテンツ識別子、及びアプリケーション識別子である。
【０１３０】
段階７０４において、アプリケーションに対応するサービス品質を決定する。
【０１３１】
段階７０６において、サービス品質に従って、コンテンツを返信する。
【０１３２】
具体的な実装処理において、方法７００は、
コンテンツによって生成されたトラフィックを決定する段階と、
トラフィック及びアプリケーションを示すサービス品質制御要求をサービス品質制御装置に送信する段階であって、これにより、サービス品質制御装置は、アプリケーションによって生成されたトラフィックとしてトラフィックを用いることによって、アプリケーションの累積トラフィックを更新する、段階と、
サービス品質制御装置によって返信され、かつ、更新された累積トラフィックに従って決定されたサービス品質を受信する段階と、
をさらに含んでよい。
【０１３３】
具体的には、サービス品質制御要求は、クレジット制御要求（クレジット制御要求、ＣＣＲ）であってよく、アプリケーションは、クレジット制御要求において伝送されるサービス識別子によって示される。この場合、サービス識別子は、前述のコンテンツ識別子のような、コンテンツを示すために用いられる情報を伝送する代わりにに、前述のアプリケーション識別子のような、アプリケーションを示すために用いられる情報を伝送する。
【０１３４】
他の実装解決手段において、サービス品質制御要求はまた、クレジット制御要求ＣＣＲである。しかしながら、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。
【０１３５】
サービス品質制御要求がクレジット制御要求ＣＣＲである場合、前述のアプリケーションは、クレジット制御要求において、２つの態様で示されてよいことが理解されよう。第１の態様は、前述のアプリケーションが、クレジット制御要求において伝送されるサービス識別子によって示され、第２の態様は、前述のアプリケーションが、クレジット制御要求において伝送されるアプリケーションパラメータによって示される。サービス識別子は既存のクレジット制御要求に存在するので、第１の態様においては、既存のクレジット制御要求は変更される必要がないことが容易に理解される。しかしながら、第２の態様においては、アプリケーションパラメータは新たに追加されたパラメータなので、既存のクレジット制御要求は変更される必要がある。
【０１３６】
具体的な実装処理において、サービス品質制御装置は、クレジット制御回答（ＣＣＡ）を用いることによって、決定されたサービス品質を返信してよい。
【０１３７】
サービス品質制御装置、装置の具体的な動作、ならびにサービス品質制御装置及びその動作に関連する具体的な詳細については、詳細な説明が、図８から図１２を参照して後述される。
【０１３８】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、アプリケーションに適用されるサービス品質は、前述のコンテンツが返信される場合に用いられてよい。
【０１３９】
さらに、本発明の本実施形態によれば、要求されたコンテンツ及び前述のアプリケーションによって生成されたトラフィックを示すサービス品質制御要求をサービス品質制御装置に報告することによって、要求されたコンテンツによって生成されたトラフィックは、アプリケーションの累積トラフィックの更新を実装すべく、アプリケーションによって生成されたトラフィックとしてアプリケーションの累積トラフィックにカウントされてよい。このように、サービス品質制御装置は、更新された累積トラフィックに従って、前述のアプリケーションのサービス品質を決定し、アクセス装置に、アプリケーションの決定されたサービス品質を返信してよい。
【０１４０】
図８は、本発明の実施形態に係るサービス品質制御方法８００の例示的なフローチャートである。図８に示されるサービス品質制御方法８００は、アプリケーションのサービス品質を決定するために用いられる。コンテンツ要求は、アプリケーションを用いることによって生成される。具体的な実装処理において、サービス品質制御方法８００は、例えば、限定されるものではないが、サービス品質制御装置によって実行されてよい。サービス品質制御装置は、例えば、限定されるものではないが、ＰＣＲＦ（ポリシ及び課金ルール機能）であってよい。さらに、本実施形態において説明されるコンテンツ及びアプリケーションは、図１から図６において説明されるコンテンツ及びアプリケーションである。
【０１４１】
段階８０２において、コンテンツ及びアプリケーションによって生成されたトラフィックを示し、かつ、アクセス装置によって送信されるサービス品質制御要求を受信する。
【０１４２】
具体的な実装処理において、サービス品質制御要求は、クレジット制御要求ＣＣＲであり、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。アプリケーションパラメータは新たに追加されたパラメータなので、既存のクレジット制御要求は、変更される必要があることが容易に理解される。
【０１４３】
アクセス装置、装置の具体的な動作、ならびにアクセス装置及びその動作に関連する具体的な詳細について、図７を参照して、詳細な説明が上述されている。さらなる説明は、図９から図１２を参照して後述される。
【０１４４】
段階８０４において、アプリケーションによって生成されたトラフィックとしてトラフィックを用いることによって、アプリケーションの累積トラフィックを更新する。
【０１４５】
段階８０６において、更新された累積トラフィックに従って、アプリケーションのサービス品質を決定する。
【０１４６】
段階８０８において、決定されたサービス品質を返信する。
【０１４７】
具体的な実装処理において、サービス品質制御装置は、クレジット制御回答ＣＣＡを用いることによって、更新されたサービス品質を返信してよい。
【０１４８】
本発明の本実施形態によれば、要求されたコンテンツ及び前述のアプリケーションによって生成されたトラフィックを示すサービス品質制御要求をサービス品質制御装置に報告することによって、要求されたコンテンツによって生成されたトラフィックは、アプリケーションの累積トラフィックの更新を実装すべく、アプリケーションによって生成されたトラフィックとしてアプリケーションの累積トラフィックにカウントされてよい。このように、サービス品質制御装置は、更新された累積トラフィックに従って、前述のアプリケーションのサービス品質を決定し、アクセス装置に、アプリケーションの決定されたサービス品質を返信してよい。
【０１４９】
図９は、本発明の実施形態に係るサービス品質制御方法９００の例示的なシグナリング図である。図９に示されるモバイル端末は、例えば、限定されるものではないが、パーソナルデジタルアシスタント、スマートフォン、タブレットコンピュータ等のような、インターネットアクセス機能を有するコンピューティングデバイスであってよい。アプリケーションは、モバイル端末上で動作し、ユーザは、コンテンツにアクセスすべく、アプリケーションを用いることによってコンテンツ要求を生成してよい。ＧＧＳＮは、方法７００及び方法８００におけるアクセス装置に対応する。ＰＣＲＦは、方法７００及び方法８００におけるサービス品質制御装置に対応する。
【０１５０】
段階９０２において、ユーザは、モバイル端末上で動作するアプリケーションを用いることによって、コンテンツ要求を生成する。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。コンテンツ要求、コンテンツ識別子、アプリケーション識別子等の技術的特徴の詳細については、方法７００及び方法８００を参照して、詳細な説明が上述されている。従って、詳細は、本明細書において再度説明されない。
【０１５１】
段階９０４において、ＧＧＳＮは、コンテンツ識別子に従って、要求されたコンテンツを取得し、アプリケーションに対応するサービス品質を決定する。
【０１５２】
段階９０６において、ＧＧＳＮは、アプリケーションに対応するサービス品質に従って、モバイル端末に要求されたコンテンツを返信する。
【０１５３】
段階９０８において、ＧＧＳＮは、コンテンツによって生成されたトラフィックを決定する。
【０１５４】
段階９１０において、ＧＧＳＮは、トラフィック及びアプリケーションを示すサービス品質制御要求を、ＰＣＲＦに送信する。
【０１５５】
サービス品質制御要求等の技術的特徴の詳細については、方法７００及び方法８００を参照して、詳細な説明が上述されている。従って、詳細は、本明細書において再度説明されない。
【０１５６】
段階９１２において、ＰＣＲＦは、アプリケーションによって生成されたトラフィックとしてトラフィックを用いることによって、サービス品質制御要求に示されるアプリケーション及びトラフィックに従って、アプリケーションの累積トラフィックを更新する。
【０１５７】
段階９１４において、ＰＣＲＦは、更新された累積トラフィックに従って、アプリケーションのサービス品質を決定する。
【０１５８】
段階９１６において、ＰＣＲＦは、ＧＧＳＮに決定されたサービス品質を返信する。
【０１５９】
具体的な実装処理において、方法９００におけるいくつかの段階の順序は、具体的な要件に従って設定されてよい。例えば、段階９０８は、段階９０４の後であって、段階９０６の前に実行されてよい。
【０１６０】
上述されたように、図９を参照して説明された方法９００におけるＧＧＳＮは、方法７００及び方法８００におけるアクセス装置に対応する。ＰＣＲＦは、方法７００及び方法８００におけるサービス品質制御装置に対応する。各タイプの装置、各タイプの装置の具体的な動作、ならびに各タイプの装置及びその動作に関連する具体的な詳細については、図７及び図８を参照して、詳細な説明が上述されている。さらなる説明は、図１０から図１２を参照して後述される。
【０１６１】
図１０は、本発明の実施形態に係るアクセス装置１０００の論理構造の例示的な模式図である。図１０に示されるように、アクセス装置１０００は、コンテンツ要求受信モジュール１００２と、サービス品質決定モジュール１００４と、返信モジュール１００６とを含む。
【０１６２】
コンテンツ要求受信モジュール１００２は、コンテンツ要求を受信するように構成される。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。
【０１６３】
具体的には、前述のコンテンツ識別子は、例えば、限定されるものではないが、コンテンツのＵＲＬであって、かつ、コンテンツ要求において伝送されるＵＲＬ、又は、コンテンツ要求受信モジュール１００２によってＵＲＬから取得され、かつ、前述のコンテンツを識別するために利用可能な情報であってよい。さらに、本実施形態において説明されるコンテンツ要求、コンテンツ識別子、及びアプリケーション識別子は、図１から図６において説明されるコンテンツ要求、コンテンツ識別子、及びアプリケーション識別子である。
【０１６４】
サービス品質決定モジュール１００４は、アプリケーションに対応するサービス品質を決定するように構成される。
【０１６５】
返信モジュール１００６は、サービス品質に従って、コンテンツを返信するように構成される。
【０１６６】
具体的な実装処理において、アクセス装置１０００は、
コンテンツによって生成されたトラフィックを決定するように構成されるトラフィック決定モジュール（図１０において不図示）と、
トラフィック及びアプリケーションを示すサービス品質制御要求をサービス品質制御装置に送信するように構成される送信モジュール（図１０において不図示）であって、これにより、サービス品質制御装置は、アプリケーションによって生成されたトラフィックとしてトラフィックを用いることによって、アプリケーションの累積トラフィックを更新する、送信モジュールと、
サービス品質制御装置によって返信され、かつ、更新された累積トラフィックに従って決定されたサービス品質を受信するように構成されるサービス品質受信モジュール（図１０において不図示）と、
をさらに含んでよい。
【０１６７】
具体的には、サービス品質制御要求は、クレジット制御要求（クレジット制御要求、ＣＣＲ）であってよく、アプリケーションは、クレジット制御要求において伝送されるサービス識別子によって示される。この場合、サービス識別子は、前述のコンテンツ識別子のような、コンテンツを示すために用いられる情報を伝送する代わりにに、前述のアプリケーション識別子のような、アプリケーションを示すために用いられる情報を伝送する。
【０１６８】
他の実装解決手段において、サービス品質制御要求はまた、クレジット制御要求ＣＣＲである。しかしながら、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。
【０１６９】
サービス品質制御要求がクレジット制御要求ＣＣＲである場合、前述のアプリケーションは、クレジット制御要求において、２つの態様で示されてよいことが理解されよう。第１の態様は、前述のアプリケーションが、クレジット制御要求において伝送されるサービス識別子によって示され、第２の態様は、前述のアプリケーションが、クレジット制御要求において伝送されるアプリケーションパラメータによって示される。サービス識別子は既存のクレジット制御要求に存在するので、第１の態様においては、既存のクレジット制御要求は変更される必要がないことが容易に理解される。しかしながら、第２の態様においては、アプリケーションパラメータは新たに追加されたパラメータなので、既存のクレジット制御要求は変更される必要がある。
【０１７０】
具体的な実装処理において、サービス品質制御装置は、クレジット制御回答（クレジット制御回答、ＣＣＡ）を用いることによって、更新されたサービス品質を返信してよい。
【０１７１】
図１０に示されるアクセス装置１０００は、図７に示される方法７００を実行するように構成される。アクセス装置及びその動作、ならびにアクセス装置及びその動作に関連する技術的詳細については、図８に示される方法８００及び図９に示される方法９００においても、説明が示される。さらなる説明は、図１１及び図１２を参照して後述される。
【０１７２】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、アプリケーションに適用されるサービス品質は、前述のコンテンツが返信される場合に用いられてよい。
【０１７３】
さらに、本発明の本実施形態によれば、要求されたコンテンツ及び前述のアプリケーションによって生成されたトラフィックを示すサービス品質制御要求をサービス品質制御装置に報告することによって、要求されたコンテンツによって生成されたトラフィックは、アプリケーションの累積トラフィックの更新を実装すべく、アプリケーションによって生成されたトラフィックとしてアプリケーションの累積トラフィックにカウントされてよい。このように、サービス品質制御装置は、更新された累積トラフィックに従って、前述のアプリケーションのサービス品質を決定し、アクセス装置に、アプリケーションの決定されたサービス品質を返信してよい。
【０１７４】
図１１は、本発明の実施形態に係るサービス品質制御装置１１００の論理構造の例示的な模式図である。図１１に示されるサービス品質制御装置１１００は、アプリケーションのサービス品質を決定するように構成される。コンテンツ要求は、アプリケーションを用いることによって生成される。図１１に示されるように、サービス品質制御装置１１００は、受信モジュール１１０２と、更新モジュール１１０４と、決定モジュール１１０６と、返信モジュール１１０８とを含む。さらに、本実施形態において説明されるコンテンツ及びアプリケーションは、図１から図６において説明されるコンテンツ及びアプリケーションである。
【０１７５】
受信モジュール１１０２は、コンテンツ及びアプリケーションによって生成されたトラフィックを示し、かつ、アクセス装置によって送信されるサービス品質制御要求を受信するように構成される。
【０１７６】
更新モジュール１１０４は、アプリケーションによって生成されたトラフィックとしてトラフィックを用いることによって、アプリケーションの累積トラフィックを更新するように構成される。
【０１７７】
決定モジュール１１０６は、更新された累積トラフィックに従って、アプリケーションのサービス品質を決定するように構成される。
【０１７８】
返信モジュール１１０８は、決定されたサービス品質を返信するように構成される。
【０１７９】
具体的な実装処理において、サービス品質制御要求は、クレジット制御要求ＣＣＲであり、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。アプリケーションパラメータは新たに追加されたパラメータなので、既存のクレジット制御要求は、変更される必要があることが容易に理解される。
【０１８０】
具体的な実装処理において、返信モジュール１１０８は、クレジット制御回答ＣＣＡを用いることによって、更新されたサービス品質を返信してよい。
【０１８１】
図１１に示されるサービス品質制御装置１１００は、図８に示される方法８００を実行するように構成される。サービス品質制御装置及びその動作、ならびにサービス品質制御装置及びその動作に関連する技術的詳細については、図７に示される方法７００、図９に示される方法９００、及び図１０に示される装置１０００においても、説明が示される。さらなる説明は、図１２を参照して後述される。
【０１８２】
本発明の本実施形態によれば、要求されたコンテンツ及び前述のアプリケーションによって生成されたトラフィックを示すサービス品質制御要求をサービス品質制御装置に報告することによって、要求されたコンテンツによって生成されたトラフィックは、アプリケーションの累積トラフィックの更新を実装すべく、アプリケーションによって生成されたトラフィックとしてアプリケーションの累積トラフィックにカウントされてよい。このように、サービス品質制御装置は、更新された累積トラフィックに従って、前述のアプリケーションのサービス品質を決定し、アクセス装置に、アプリケーションの決定されたサービス品質を返信してよい。
【０１８３】
図１２は、本発明の実施形態に係るサービス品質制御システム１２００の論理構造の例示的な模式図である。図１２に示されるように、サービス品質制御システム１２００は、アクセス装置１２０２と、サービス品質制御装置１２０４とを含む。
【０１８４】
アクセス装置１２０２は、コンテンツ要求を受信することと、アプリケーションに対応するサービス品質を決定することと、サービス品質に従って、コンテンツを返信することとを実行するように構成される。コンテンツ要求は、コンテンツ識別子及びアプリケーション識別子を伝送し、コンテンツ識別子は、要求されたコンテンツを識別するために用いられ、アプリケーション識別子は、アプリケーションを識別し、かつ、コンテンツ要求がアプリケーションを用いることによって生成されたことを識別するために用いられる。
【０１８５】
アクセス装置１２０２は、コンテンツによって生成されたトラフィックを決定することと、サービス品質制御装置１２０４が、アプリケーションによって生成されたトラフィックとしてトラフィックを用いることによってアプリケーションの累積トラフィックを更新するように、トラフィック及びアプリケーションを示すサービス品質制御要求をサービス品質制御装置１２０４に送信することと、アプリケーションのサービス品質であって、かつ、更新されたアプリケーションの累積トラフィックに従ってサービス品質制御装置１２０４によって決定されたサービス品質を受信することとを実行するようにさらに構成される。
【０１８６】
サービス品質制御装置１２０４は、コンテンツ及びアプリケーションによって生成されたトラフィックを示し、かつ、アクセス装置１２０２によって送信されるサービス品質制御要求を受信することと、アプリケーションによって生成されたトラフィックとしてトラフィックを用いることによって、アプリケーションの累積トラフィックを更新することと、累積トラフィックに従ってアプリケーションのサービス品質を決定し、決定されたサービス品質をアクセス装置１２０２に返信することとを実行するように構成される。
【０１８７】
具体的には、サービス品質制御要求は、クレジット制御要求ＣＣＲであってよく、アプリケーションは、クレジット制御要求において伝送されるサービス識別子によって示される。この場合、サービス識別子は、前述のコンテンツ識別子のような、コンテンツを示すために用いられる情報を伝送する代わりにに、前述のアプリケーション識別子のような、アプリケーションを示すために用いられる情報を伝送する。
【０１８８】
他の実装解決手段において、サービス品質制御要求はまた、クレジット制御要求ＣＣＲである。しかしながら、アプリケーションは、クレジット制御要求において伝送されるアプリケーションパラメータによって示される。アプリケーションパラメータは、新たに追加されたパラメータであり、パラメータは、前述のアプリケーション識別子のような、アプリケーションを示すために用いられる情報を伝送する。
【０１８９】
サービス品質制御要求がクレジット制御要求ＣＣＲである場合、前述のアプリケーションは、クレジット制御要求において、２つの態様で示されてよいことが理解されよう。第１の態様は、前述のアプリケーションが、クレジット制御要求において伝送されるサービス識別子によって示され、第２の態様は、前述のアプリケーションが、クレジット制御要求において伝送されるアプリケーションパラメータによって示される。サービス識別子は既存のクレジット制御要求に存在するので、第１の態様においては、既存のクレジット制御要求は変更される必要がないことが容易に理解される。しかしながら、第２の態様においては、アプリケーションパラメータは新たに追加されたパラメータなので、既存のクレジット制御要求は変更される必要がある。
【０１９０】
具体的な実装処理において、サービス品質制御装置１２０４は、クレジット制御回答（クレジット制御回答、ＣＣＡ）を用いることによって、決定されたサービス品質を返信してよい。
【０１９１】
アクセス装置１２０２は、図７に示される方法７００を実行するように構成される。装置及びその動作、ならびに装置及びその動作に関連する具体的な詳細については、図８から図１１においても、説明が示される。従って、詳細は、本明細書において再度説明されない。
【０１９２】
サービス品質制御装置１２０４は、図８に示される方法８００を実行するように構成される。装置及びその動作、ならびに装置及びその動作に関連する具体的な詳細については、図７及び図９から図１１においても、説明が示される。従って、詳細は、本明細書において再度説明されない。
【０１９３】
本発明の本実施形態において、コンテンツ要求において伝送されるアプリケーション識別子に従って、アプリケーション識別子によって示されるアプリケーションが認識され、コンテンツ要求は、アプリケーションを用いることによって生成されることが認識される。このように、本発明の本実施形態によれば、アプリケーションに適用されるサービス品質は、前述のコンテンツが返信される場合に用いられてよい。
【０１９４】
さらに、本発明の本実施形態によれば、要求されたコンテンツ及び前述のアプリケーションによって生成されたトラフィックを示すサービス品質制御要求をサービス品質制御装置に報告することによって、要求されたコンテンツによって生成されたトラフィックは、アプリケーションの累積トラフィックの更新を実装すべく、アプリケーションによって生成されたトラフィックとしてアプリケーションの累積トラフィックにカウントされてよい。このように、サービス品質制御装置は、更新された累積トラフィックに従って、前述のアプリケーションのサービス品質を決定し、アクセス装置に、アプリケーションの決定されたサービス品質を返信してよい。
【０１９５】
図１３は、本発明の実施形態に係るアクセス装置１３００のハードウェア構造の模式図である。図１３に示されるように、アクセス装置１３００は、プロセッサ１３０２と、メモリ１３０４と、入出力インタフェース１３０６と、通信インタフェース１３０８と、バス１３１０とを含む。プロセッサ１３０２、メモリ１３０４、入出力インタフェース１３０６、及び通信インタフェース１３０８は、バス１３１０を用いることによって、相互通信を実装する。
【０１９６】
プロセッサ１３０２は、一般的な中央処理装置（ＣＰＵ）、マイクロプロセッサ、特定用途向け集積回路（ＡＳＩＣ）、又は１つ又は複数の集積回路であってよく、本発明の本実施形態において提供される技術的解決手段を実行すべく、関連するプログラムを実装するように構成される。
【０１９７】
メモリ１３０４は、リードオンリメモリ（ＲＯＭ）、静的ストレージデバイス、動的ストレージデバイス、又はランダムアクセスメモリ（ＲＡＭ）であってよい。メモリ１３０４は、オペレーティングシステム及び他のアプリケーションプログラムを格納してよい。本発明の複数の実施形態において提供される技術的解決手段が、ソフトウェア又はファームウェアを用いることによって実装される場合、本発明の複数の実施形態において提供される技術的解決手段を実装するために用いられるプログラムコードは、メモリ１３０４に格納され、プロセッサ１３０２によって実行される。
【０１９８】
入出力インタフェース１３０６は、入力されたデータ及び情報を受信し、動作結果のようなデータを出力するように構成される。
【０１９９】
通信インタフェース１３０８は、アクセス装置１３００と他の装置又は通信ネットワークとの間において通信を実装すべく、送受信機装置、例えば、限定されるものではないが、送受信機を用いる。
【０２００】
バス１３１０は、アクセス装置１３００の（プロセッサ１３０２、メモリ１３０４、入出力インタフェース１３０６、及び通信インタフェース１３０８のような）複数の部分の間で情報を送信するためのチャネルを含んでよい。
【０２０１】
アクセス装置１３００については、プロセッサ１３０２、メモリ１３０４、入出力インタフェース１３０６、通信インタフェース１３０８、及びバス１３１０のみが図１３に示されるが、具体的な実装処理において、アクセス装置１３００が、標準的な動作を実装するために必要な他のコンポーネントをさらに含むことは、当業者であれば理解すべきであることに留意されたい。さらに、当業者であれば、具体的な要件に従って、アクセス装置１３００が、他の追加の機能を実装するハードウェアコンポーネントをさらに含んでよいことを理解すべきである。さらに、当業者であれば、アクセス装置１３００が、本発明の複数の実施形態を実装するために必要なコンポーネントのみを含み、必ずしも図１３に示される全てのコンポーネントを含むものではないことを理解すべきである。
【０２０２】
図１３及び前述の説明に示されるハードウェア構造は、本発明の複数の実施形態において提供される様々なアクセス装置、課金装置、及びサービス品質制御装置に適用可能である。図１３に示されるハードウェア構造に基づいて、図４に示されるアクセス装置における各モジュール、図５に示される課金装置、図１０に示されるアクセス装置、及び図１１に示されるサービス品質制御装置の動作は、図１３における適切なハードウェアコンポーネントに対応する命令を伝送することによって、各モジュールによって実装される動作であることを理解されたい。
【０２０３】
当業者であれば、前述された方法の段階の全て又はそのいくつかは、関連するハードウェアに命令するプログラムによって実装可能であることを理解しよう。プログラムは、コンピュータ可読記憶媒体に格納されてよい。記憶媒体は、ＲＯＭ、ＲＡＭ、光ディスク等を含む。
【０２０４】
要するに、前述の説明は、単に、本発明の複数の実施形態の例示であり、本発明の保護範囲を限定することを意図するものではない。本発明の原理から逸脱することなくなされたあらゆる変更、均等の置換、又は改良は、本発明の保護範囲に属するものとする。
【図１】
0006552068.tif 000002
【図２】
0006552068.tif 000003
【図３】
0006552068.tif 000004
【図４】
0006552068.tif 000005
【図５】
0006552068.tif 000006
【図６】
0006552068.tif 000007
【図７】
0006552068.tif 000008
【図８】
0006552068.tif 000009
【図９】
0006552068.tif 000010
【図１０】
0006552068.tif 000011
【図１１】
0006552068.tif 000012
【図１２】
0006552068.tif 000013
【図１３】
0006552068.tif 000014